(57)【要約】【課題】装着時に圧迫感や違和感が生じることがないフェイスマスクを提供すること。【解決手段】フェイスマスク１は、２０〜３０ｃｍ幅の矩形状の第１のシート１０と、６０〜９０ｃｍ幅の矩形状であり複数の縦方向の折線２０１〜２１８で折り曲げられて第１のシート１０と同幅となる第２のシート２０とを備え、第１のシート１０の縦長よりも第２のシート２０の縦長が大きく、第１のシート１０の上辺１１、右辺１２及び左辺１３は、第２のシート２０の上辺２１、右辺２２及び左辺２３にそれぞれ固定され、第１のシート１０の下辺１４は第２のシート２０に固定されず、隣り合う折線２０１〜２１８の間隔はいずれも１０ｃｍ以下であり、第２のシート２０の下辺２４は折線２０１〜２１８が拡がらないように固定されている。【選択図】図１
2020089537.tif 000002
【特許請求の範囲】
【請求項１】
２０〜３０ｃｍ幅の矩形状の第１のシートと、
６０〜９０ｃｍ幅の矩形状であり、複数の縦方向の折線で折り曲げられて前記第１のシートと同幅となる第２のシートとを備え、
前記第１のシートの縦長よりも前記第２のシートの縦長が大きく、
前記第１のシートの上辺、右辺及び左辺は、前記第２のシートの上辺、右辺及び左辺にそれぞれ固定され、
前記第１のシートの下辺は、前記第２のシートに固定されず、
隣り合う前記折線の間隔は、いずれも１０ｃｍ以下であり、
前記第２のシートの下辺は、前記折線が拡がらないように固定されていることを特徴とする、フェイスマスク。
【請求項２】
前記第２のシートは、不織布製であることを特徴とする、請求項１に記載のフェイスマスク。
【請求項３】
前記第２のシートの、上辺から２０〜３０ｃｍ下方であり、かつ、折り曲げられた状態における左辺から５ｃｍ以上、右辺から５ｃｍ以上離間した中央部分である、矩形領域が、暗色に着色されていることを特徴とする、請求項１又は２に記載のフェイスマスク。
【発明の詳細な説明】
【技術分野】
【０００１】
本発明は、就寝時等に顔面や頭部を被覆するフェイスマスクに関する。
【背景技術】
【０００２】
従来、就寝時において保湿や冷え防止のために顔面や頭部を被覆するフェイスマスクが知られている（例えば、特許文献１、２参照）。
【先行技術文献】
【特許文献】
【０００３】
【特許文献１】実開平７−３１０１８号公報
【特許文献２】特開２０１１−２４０１１３号公報
【発明の概要】
【発明が解決しようとする課題】
【０００４】
しかしながら、このようなフェイスマスクは装着時に装着者の顔面に接触するため、装着者に圧迫感や違和感が生じるという問題があった。
【０００５】
本発明は、装着時に圧迫感や違和感が生じることがないフェイスマスクを提供することを課題とする。
【課題を解決するための手段】
【０００６】
本発明のフェイスマスクは、
２０〜３０ｃｍ幅の矩形状の第１のシートと、
６０〜９０ｃｍ幅の矩形状であり、複数の縦方向の折線で折り曲げられて前記第１のシートと同幅となる第２のシートとを備え、
前記第１のシートの縦長よりも前記第２のシートの縦長が大きく、
前記第１のシートの上辺、右辺及び左辺は、前記第２のシートの上辺、右辺及び左辺にそれぞれ固定され、
前記第１のシートの下辺は、前記第２のシートに固定されず、
隣り合う前記折線の間隔は、いずれも１０ｃｍ以下であり、
前記第２のシートの下辺は、前記折線が拡がらないように固定されていることを特徴とする。
【０００７】
この特徴によれば、第２のシートは複数の縦方向の折線で折り曲げられているため、第２のシートが顔面に対向するようにフェイスマスクを装着した場合に第２のシートが顔面に接触し難くなり、装着者に圧迫感や違和感が生じることがない。
【０００８】
本発明のフェイスマスクにおいて、
前記第２のシートは、不織布製であることを特徴とする。
【０００９】
この特徴によれば、装着中に第２のシートの形状を安定的に保つことができるため、第２のシートが顔面に接触して装着者に圧迫感や違和感が生じるのを防ぐことができる。
【００１０】
本発明のフェイスマスクにおいて、
前記第２のシートの、上辺から２０〜３０ｃｍ下方であり、かつ、折り曲げられた状態における左辺から５ｃｍ以上、右辺から５ｃｍ以上離間した中央部分である、矩形領域が、暗色に着色されていることを特徴とする。
【００１１】
この特徴によれば、当該フェイスマスクをアイマスクとしても使用することができる。
【発明の効果】
【００１２】
本発明によれば、第２のシートは複数の縦方向の折線で折り曲げられているため、第２のシートが顔面に対向するようにフェイスマスクを装着した場合に第２のシートが顔面に接触し難くなり、装着者に圧迫感や違和感が生じることがない。
【図面の簡単な説明】
【００１３】
【図１】図１は、フェイスマスクの正面図である（実施例１）。
【図２】図２は、フェイスマスクの背面図である（実施例１）。
【図３】図３は、図１のＡ−Ａ線による模式的断面図である（実施例１）。
【図４】図４は、第２のシートの展開図である（実施例１）。
【図５】図５は、フェイスマスクの装着状態を示す写真である（実施例１）。
【図６】図６は、フェイスマスクの正面図である（実施例２）。
【図７】図７は、フェイスマスクの背面図である（実施例２）。
【図８】図８は、図６のＢ−Ｂ線による模式的断面図である（実施例２）。
【図９】図９は、第２のシートの展開図である（実施例２）。
【図１０】図１０は、フェイスマスクの装着状態を示す写真である（実施例２）。
【発明を実施するための形態】
【００１４】
以下、本発明の実施形態を図面を参照して詳細に説明する。
【実施例１】
【００１５】
図１は実施例１に係るフェイスマスクの正面図であり、図２は背面図であり、図３は図１のＡ−Ａ線による模式的断面図である。フェイスマスク１は、矩形状の第１のシート１０及び第２のシート２０が重ね合わせられて構成されている。第１のシート１０及び第２のシート２０は白色の不織布で形成されている。第１のシート１０と第２のシート２０とは向かい合う３辺がそれぞれ接合されており、袋状に形成されている。接合されていない１辺の開口部からフェイスマスク１の内部に人の頭部全体を挿入できるようになっている。
【００１６】
なお、以下の説明では、図１に示すようにフェイスマスク１の第２のシート２０が視認できるように配置した状態において、第１のシート１０及び第２のシート２０の紙面に向かって右側に位置する辺をそれぞれ「右辺１２」、「右辺２２」、左側に位置する辺をそれぞれ「左辺１３」、「左辺２３」、上側に位置する辺をそれぞれ「上辺１１」、「上辺２１」、下側に位置する辺をそれぞれ「下辺１４」、「下辺２４」として説明する。
【００１７】
本実施例では、第１のシート１０の上辺１１、右辺１２及び左辺１３は、第２のシート２０の上辺２１、右辺２２及び左辺２３にそれぞれ固定されており、第１のシート１０の下辺１４は第２のシート２０に固定されていない。
【００１８】
詳細には、図１に示すように、第１のシート１０の上辺１１は、第２のシート２０の上辺２１を被覆するように第２のシート２０側に長さ１ｃｍほど折り返された状態で、第２のシート２０の上辺２１に接着剤で固定されている。また、図２に示すように、第２のシート２０の右辺２２及び左辺２３は、第１のシート１０の右辺１２及び左辺１３をそれぞれ被覆するように第１のシート１０側に幅２．５ｃｍほど折り返された状態で、第１のシート１０の右辺１２及び左辺１３にそれぞれ接着剤で固定されている。なお、各辺を折り返さずに各辺同士を接着剤で固定してもよい。また、固定する方法としては、接着剤に限らず、縫製してもよいし、ホチキス留めしてもよい。
【００１９】
第２のシート２０は、フェイスマスク１に頭部を挿入した際に顔面が対向する側のシートであり、顎や首まで覆うことができるように第１のシート１０よりも縦長が大きく形成されている。本実施例では、第２のシート２０の縦長は４５ｃｍ、第１のシート１０の縦長は２５ｃｍに形成されている。第１のシート１０は、フェイスマスク１に頭部を挿入した際に後頭部が対向する側のシートである。
【００２０】
第２のシート２０には縦方向に平行に延びる複数の折線２０１〜２１８が形成されている。第２のシート２０が当該折線２０１〜２１８で折り曲げられることにより、第２のシート２０にプリーツが形成される。第２のシート２０の下辺２４は、折り曲げられた状態の折線２０１〜２１８が拡がらないように、接着剤で固定されている。なお、固定方法としては、上記と同様に接着剤に限定されることはない。
【００２１】
図１に示すように、フェイスマスク１を装着した際に目が位置する領域と対向する矩形領域２５、すなわち、本実施例においては第２のシート２０の上辺から２０〜３０ｃｍ下方であって、かつ、第２のシート２０が折り曲げられた状態においてフェイスマスク１の左辺から５ｃｍ以上、右辺から５ｃｍ以上離間した中央部分の矩形領域２５は、暗色に着色されている。このように当該矩形領域２５を着色することにより、フェイスマスク１をアイマスクとしても使用することができる。なお、矩形領域２５のみならず、第２のシート２０全体を暗色に着色してもよいし、第１のシート１０及び第２のシート２０全体を暗色に着色してもよい。また、遮光性を高めるために、矩形領域２５に遮光性の布や部材を取り付けてもよい。
【００２２】
図４には、折線２０１〜２１８を展開した状態の第２のシート２０を示す。本実施例では、折線２０１〜２１８を展開した状態の第２のシート２０の幅は７０ｃｍに構成されている。なお、顔面に接触し難いプリーツを形成できるように、当該幅は６０〜９０ｃｍが好ましい。
【００２３】
折線２０１、２０３、２０４、２０７、２０８、２１１、２１２、２１５、２１６、２１８は、外側（非顔面対向側）に向かって凸になるように折り曲げるための折り目である。また、折線２０２、２０５、２０６、２０９、２１０、２１３、２１４、２１７は、内側（顔面対向側）に向かって凸になるように折り曲げるための折り目である。
【００２４】
第２のシート２０の折線２０１〜２１８を展開した状態においては、折線２０２と折線２０３、折線２０４と折線２０５、折線２０６と折線２０７、折線２０８と折線２０９、折線２１０と折線２１１、折線２１２と折線２１３、折線２１４と折線２１５、折線２１６と折線２１７の間隔は、それぞれ２．５ｃｍに構成されている。また、折線２０１と折線２０２、折線２０３と折線２０４、折線２０５と折線２０６、折線２０７と折線２０８、折線２０９と折線２１０、折線２１１と折線２１２、折線２１３と折線２１４、折線２１５と折線２１６、折線２１７と折線２１８の間隔は、それぞれ５ｃｍに構成されている。
【００２５】
第２のシート２０は製造過程において折線２０１〜２１８で折り曲げられ、第１のシート１０と重ね合わせられる。折線２０１〜２１８で折り曲げられた状態においては、第２のシート２０は第１のシート１０と同幅となるように構成されている。本実施例では、第１のシート１０の幅、及び、折り曲げられた状態における第２のシート２０の幅は、２５ｃｍに構成されている。なお、フェイスマスク１の装着者が圧迫感を感じずに快適に装着できるように、当該幅は２０〜３０ｃｍが好ましい。
【００２６】
第２のシート２０が折線２０１〜２１８で折り曲げられた状態においては、図３に示すように、第２のシート２０は３層構造となる。フェイスマスク１を正面から見た場合、図１に示すように、折線２０４と折線２０７、折線２０８と折線２１１、折線２１２と折線２１５はそれぞれ同一線上に配置される。そして、隣り合う折線同士（折線２０３と折線２０４（２０７）、折線２０４（２０７）と折線２０８（２１１）、折線２０８（２１１）と折線２１２（２１５）、折線２１２（２１５）と折線２１６）の間隔はそれぞれ５ｃｍとなる。
【００２７】
また、図２に示すように、フェイスマスク１を背面から見た場合、折線２０２と折線２０５、折線２０６と折線２０９、折線２１０と折線２１３、折線２１４と折線２１７はそれぞれ同一線上に配置される。そして、隣り合う折線同士（折線２０２（２０５）と折線２０６（２０９）、折線２０６（２０９）と折線２１０（２１３）、折線２１０（２１３）と折線２１４（２１７））の間隔はそれぞれ５ｃｍとなる。
【００２８】
このように、フェイスマスク１の第２のシート２０には複数の折線２０１〜２１８で折り曲げられたプリーツが形成されているため、第２のシート２０が顔面に対向するようにフェイスマスク１を装着した場合に当該第２のシート２０が顔面に接触し難くなり、装着者に圧迫感や違和感が生じることがない。また、第２のシート２０が３枚重なるように折り曲げられているため、顔面付近の保温効果及び保湿効果を高めることができる。また、第２のシート２０は不織布製であるため形状を保つことができ、仰向けでフェイスマスク１を装着した場合でも第２のシート２０が顔面に接触して圧迫感や違和感が生じるのを防ぐことができる。
【００２９】
図５には、フェイスマスクを装着した状態の写真を示す。図５（Ａ）は正面から見たものである。顔の概略位置を破線で示してある。暗色の矩形領域２５はないものとした。第２のシート２０は、上辺２１及び下辺２４の長さが第１のシート１０の上辺１１及び下辺１４と同じ長さに固定され、上辺２１と下辺２４の間で拡がっている。
【００３０】
図５（Ｂ）は側面から見たものである。顔の概略位置を破線で示してある。第２のシート２０は、上辺２１と下辺２４の間で拡がるが、折線２０１〜２１８の上辺から下辺までの長さが保たれ、折線同士の間隔小さいため下方に垂れ下がることなく、顔面に接触することなく顔面の上方で安定している。
【００３１】
なお、第１のシート１０及び第２のシート２０の素材は不織布に限定されることはなく、例えば和紙や剛性のある布で形成されていてもよい。
【００３２】
また、本実施例における第２のシート２０の折線の数や折線同士の間隔は一例に過ぎず、フェイスマスク１を装着した際に第２のシート２０の形状が安定的に保たれ第２のシート２０が顔面に接触し難くなるように、折線同士の間隔がいずれも１０ｃｍ以下であり、折線を展開した状態の第２のシート２０の幅が６０〜９０ｃｍであり、折線で折り曲げた際の第２のシート２０の幅が第１のシート１０と同幅の２０〜３０ｃｍであれば、任意の折線の数及び間隔を採用することができる。
【実施例２】
【００３３】
次に、実施例２について説明する。実施例１において説明したことはそのまま用いられる。実施例１との相違を中心に説明し、共通の部分は詳細な説明を省略する。図６は実施例２に係るフェイスマスクの正面図であり、図７は背面図であり、図８は図１のＢ−Ｂ線による模式的断面図である。
【００３４】
本実施例のフェイスマスク１Ａは、実施例１と同様に矩形状の第１のシート１０と第２のシート２０Ａとが重ね合わせられて構成されている。実施例２に係るフェイスマスク１Ａが実施例１に係るフェイスマスク１と異なる主な点は、第２のシート２０Ａの折線２０１Ａ〜２１８Ａ同士の間隔、及び折線２０１Ａ〜２１８Ａを折り曲げる方向である。
【００３５】
図６に示すように、第１のシート１０Ａの右辺１２及び左辺１３は、第２のシート２０Ａの右辺２２及び左辺２３それぞれを被覆するように第２のシート２０Ａ側に幅１ｃｍほど折り返された状態で、第２のシート２０Ａの右辺２２及び左辺２３にそれぞれ接着剤で固定されている。
【００３６】
図９には、折線２０１Ａ〜２１８Ａを展開した状態の第２のシート２０Ａを示す。本実施例においては、折線２０１Ａ、２０３Ａ、２０５Ａ．２０７Ａ、２０９Ａ、２１１Ａ、２１３Ａ、２１５Ａ、２１７Ａが、外側（非顔面対向側）に向かって凸になるように折り曲げるための折り目である。また、折線２０２Ａ、２０４Ａ、２０６Ａ、２０８Ａ、２１０Ａ、２１２Ａ、２１４Ａ、２１６Ａ、２１８Ａが、内側（顔面対向側）に向かって凸になるように折り曲げるための折り目である。
【００３７】
第２のシート２０Ａの折線２０１Ａ〜２１８Ａを展開した状態においては、折線２０１Ａと折線２０２Ａ、折線２０３Ａと折線２０４Ａ、折線２０５Ａと折線２０６Ａ、折線２０７Ａと折線２０８Ａ、折線２０９Ａと折線２１０Ａ、折線２１１Ａと折線２１２Ａ、折線２１３Ａと折線２１４Ａ、折線２１５Ａと折線２１６Ａ、折線２１７Ａと折線２１８Ａの間隔は、それぞれ２．５ｃｍに構成されている。
【００３８】
また、折線２０２Ａと折線２０３Ａ、折線２０４Ａと折線２０５Ａ、折線２０６Ａと折線２０７Ａ、折線２０８Ａと折線２０９Ａ、折線２１０Ａと折線２１１Ａ、折線２１２Ａと折線２１３Ａ、折線２１４Ａと折線２１５Ａ、折線２１６Ａと折線２１７Ａの間隔は、それぞれ５ｃｍに構成されている。また、折線２０１Ａと左辺２３との間の幅は５ｃｍ、折線２１８Ａと右辺２２との間の幅は２．５ｃｍに構成されており、折り曲げた際に折線２１８Ａと右辺２２とが重なるように構成されている。
【００３９】
第２のシート２０Ａが折線２０１Ａ〜２１８Ａで折り曲げられた状態においては、フェイスマスク１Ａを正面から見た場合、図６に示すように、隣り合う折線同士（折線２０１Ａと折線２０３Ａ、折線２０３Ａと折線２０５Ａ、折線２０５Ａと折線２０７Ａ、折線２０７Ａと折線２０９Ａ、折線２０９Ａと折線２１１Ａ、折線２１１Ａと折線２１３Ａ、折線２１３Ａと折線２１５Ａ、折線２１５Ａと折線２１７Ａ）の間隔はそれぞれ２．５ｃｍに構成されている。
【００４０】
また、図７に示すように、フェイスマスク１Ａを背面から見た場合、隣り合う折線同士（折線２０２Ａと折線２０４Ａ、折線２０４Ａと折線２０６Ａ、折線２０６Ａと折線２０８Ａ、折線２０８Ａと折線２１０Ａ、折線２１０Ａと折線２１２Ａ、折線２１２Ａと折線２１４Ａ、折線２１４Ａと折線２１６Ａ、折線２１６Ａと折線２１８Ａ）の間隔はそれぞれ２．５ｃｍに構成されている。
【００４１】
図１０には、フェイスマスクを装着した状態の写真を示す。実施例１における図５と同様である。
【００４２】
本実施例では、フェイスマスク１Ａの第２のシート２０Ａに、実施例１に係る第２のシート２０よりも細かいプリーツが形成されているため、第２のシート２０Ａの形状をより安定的に保ち、また、細かいプリーツ内に空気を保持することが可能となるため、第２のシート２０Ａを顔面に接触させずに保湿・保温効果を高めるという効果を増大させることができる。
【産業上の利用可能性】
【００４３】
睡眠時のみならず、飛行機や列車で長時間移動する際の仮眠時や、自宅で音楽等を聴いてくつろいでいる際にも使用することができる。仮眠時に使用する場合には、プライバシーの保護にもなる。
【符号の説明】
【００４４】
１、１Ａ  フェイスマスク
１０、１０Ａ  第１のシート
１１  上辺
１２  右辺
１３  左辺
１４  下辺
２０、２０Ａ  第２のシート
２０１〜２１８、２０１Ａ〜２１８Ａ  折線
２１  上辺
２２  右辺
２３  左辺
２４  下辺
２５  矩形領域
【図１】
2020089537.tif 000003
【図２】
2020089537.tif 000004
【図３】
2020089537.tif 000005
【図４】
2020089537.tif 000006
【図５】
2020089537.tif 000007
【図６】
2020089537.tif 000008
【図７】
2020089537.tif 000009
【図８】
2020089537.tif 000010
【図９】
2020089537.tif 000011
【図１０】
2020089537.tif 000012